(57)【要約】【課題】従来必要であったチャッキングプレートを上シェルに保持するプレート保持部材を不要にできるようにすること。【解決手段】ディスク４をスピンドルモータのターンテーブル４１上にチャッキングするチャッキングプレート５を、上シェル２に支持させることなく、このチャッキングプレート５をディスク４の中央上部に載置して、ディスク４と一緒に上下動させるように構成する一方、ディスク４に対して非接触に配置され、チャッキングプレート５の上下動を許容しながら、チャッキングプレート５の径方向の移動量を規制する位置決め手段としての外周円筒状リブ６を上シェル２の下面に一体成形したディスクカートリッジ。【選択図】　　　　図３
2004103146.tif 000002
【特許請求の範囲】
【請求項１】
データが記録及び／又は再生されるディスク状記録媒体を上下シェル間に回転自在で、上下移動可能に収納することができ、
上記ディスク状記録媒体の中央部をチャッキングプレートによってスピンドルモータのターンテーブル上にチャッキングするように構成されたディスクカートリッジにおいて、
上記チャッキングプレートを上記ディスク状記録媒体の中央上部に載置して、該チャッキングプレートを該ディスク状記録媒体と一緒に上下動させるように構成し、
上記上シェルの下面に形成されて、上記チャッキングプレートに対して非接触に配置され、該チャッキングプレートの上下動を許容しながら、該チャッキングプレートの径方向の移動量を規制する位置決め手段を備えた
ことを特徴とするディスクカートリッジ。
【請求項２】
上記位置決め手段が上記上シェルの下面に形成された外周ガイド部で構成されている
ことを特徴とする請求項１に記載のディスクカートリッジ。
【請求項３】
上記位置決め手段が上記上シェルの下面に形成された中心ガイド部で構成されている
ことを特徴とする請求項１に記載のディスクカートリッジ。
【請求項４】
上記チャッキングプレートの外周フランジ部から上方又は下方に立ち上げ又は立ち下げられた立ち上げ部又は立ち下げ部を備えた
ことを特徴とする請求項１に記載のディスクカートリッジ。
【請求項５】
上記上下シェル内で、上記ディスク状記録媒体の下部にインナーローターが回転自在に配置され、
上記インナーローターと上記下シェルとの間に配置されて、上記インナーローターの回転により開閉されるシャッターによって上記下シェルに開口されている開口部を開閉するように構成された
ことを特徴とする請求項１に記載のディスクカートリッジ。
【発明の詳細な説明】
【０００１】
【発明の属する技術分野】
本発明は、ＭＯ、ＤＶＤ、ＤＶＤ−ＲＯＭ等の光ディスクや光磁気ディスク、その他のディスク状記録媒体を収納して、使用されるディスクカートリッジ属するものであって、特に、インナロータの回転により開閉駆動されるシャッターにて下シェルの開口部を開閉するように構成された防塵性の高いディスクカートリッジに適用するのに最適なディスクカートリッジにおけるチャッキングプレートの支持構造の技術分野に属するものである。
【０００２】
【従来の技術】
図１８及び図１９は、従来のディスクカートリッジ５１の断面図を示したものであって、ディスクカートリッジ５１は、モールド部品（合成樹脂成形品であって、以下、モールド部品と記載する）からなる上下シェル５２、５３によって構成されていて、内部にはディスク状記録媒体であるＤＶＤ、ＤＶＤ−ＲＯＭ等の直径１２ｃｍ等の光ディスクや光磁気ディスク等のモールド部品であるディスク５４が回転自在で、上下（矢印ａ、ｂ方向）に移動可能に水平状に収納されている。
【０００３】
なお、後述するターンテーブル６１及び光学ピックアップ（図示せず）が下方から挿入される長穴形状の開口部５３ａが下シェル５３のほぼ中央部から前端部等にかけて形成された形成されている。そして、このディスクカートリッジ５１内で、ディスク５４の中央上部位置には、ＳＵＳ等の強磁性体でプレス加工等にて形成されたチャッキングプレート５５が配置されていて、このチャッキングプレート５５はモールド部品等からなるプレート保持部材５６によって上シェル５２の下部に回転自在で、上下（矢印ａ、ｂ方向）に移動可能に保持されている。
【０００４】
この際、チャッキングプレート５５は円板状に形成されていて、中央部には上方に向って凸型に形成された中央円形凹部５５ａが同心状に形成され、その中央円形凹部５５ａの外側には下方に向って凸型で、同心円環状に形成されたディスク押圧部５５ｂが形成され、そのディスク押圧部５５ｂの外側には上方に向って直径が次第に拡大されるテーパー部５５ｃが同心状に形成され、そのテーパー部５５ｃの外周に水平状の外周フランジ部５５ｄが形成されている。
一方、プレート保持部材５６は、水平な円環状の外周フランジ部５６ａと、その外周フランジ部５６ａの内周から下方に垂直状に立ち上げられた円筒状リブ５６ｂと、その円筒状リブ５６ｂの下端の内周に水平な円環状に形成された内周フランジ部５６ｃと相互に一体成形等したものである。
【０００５】
そして、プレート保持部材５６の円筒状リブ５６ｂの内径寸法がチャッキングプレート５５の外径寸法より大きく設定されていて、その円筒状リブ５６ｂ内にチャッキングプレート５５の外周フランジ部５５ｄを予め挿入させた状態で、プレート保持部材５６の外周フランジ部５６ａを上シェル５２の下向きの内面である下面５２に超音波溶着等にて水平状に取り付けられている。従って、チャッキングプレート５５は上シェル５２と円筒状リブ５６の内周フランジ部５６ｃとの間に回転自在で、上下（矢印ａ、ｂ方向）に移動可能に保持されている。
【０００６】
そして、図１８に示すように、ディスクカートリッジ５１の非使用状態では、ディスク５４が自重によって矢印ａ方向に下降されて、そのディスク５４の下面５４ｂで、中心穴５４ｂの外周部分を下シェル５３の上向きの内面である上面５３ｂで、開口部５３ａの外周部分に一体成形等されている内周リブ５３上に水平状に載置して、ディスク５４の下面５４ｂで、データ記録部５４ｃ部分を下シェル５３の下面５３ｂから上方に浮かせている。
また、チャッキングプレート５５も自重によって矢印ａ方向に下降されて、そのチャッキングプレート５５のテーパー部５５ｃがプレート保持部材５６の内周フランジ部５６ｃの内周縁に上方から当接されることによってセンターリングされて、そのチャッキングプレート５５の外周フランジ部５５ｄがプレート保持部材５６の内周フランジ部５６ｃ上に水平状に載置されている。そして、このチャッキングプレート５５の最下部である円環状のディスク押圧部５５ｂの下面とディスク５４の上面５４ｄとの間に隙間Ｇ１１が形成されている。
【０００７】
そして、図１９に示すように、このディスクカートリッジ５１が図示省略したディスクドライブ装置内にローディングされると、下シェル５３の開口部５３ａ内にスピンドルモータ（図示せず）のターンテーブル６１及び光学ピックアップ（図示せず）が下方から矢印ｂ方向に相対的に挿入される。そして、そのターンテーブル６１の上部中央に形成されているほぼ円錐台形状のセンターリング用凸部６１ａがディスク５４の中心穴５４ｂに矢印ｂ方向から挿入されて、ディスク５４がセンターリングされるのと同時に、ターンテーブル６１の外周部分に水平状に形成されている円環状のディスク載置面６１ｂ上にディスク５４の下面５４ｂで中心穴５４ｂの外周部分が水平状に載置される。そして、ディスク５４がターンテーブル６１によってディスクカートリッジ５１内の上下シェル５２、５３間のほぼ中央位置まで矢印ｂ方向に相対的に押し上げられて、このディスク５４が上下シェル５２、５３に対して非接触状態に支持されると共に、光学ピックアップがディスク５４の下面５４ａに近接される。
【０００８】
この時、このターンテーブル６１によるディスク５４の矢印ｂ方向の押し上げによって、ディスク５４の上面５４ｄで、中心穴５４ｂの外周部分がチャッキングプレート５５のディスク押圧部５５ｂに下方から当接して、このチャッキングプレート５５を矢印ｂ方向へ相対的に押し上げる。更に、この時、ターンテーブル６１のセンターリング用凸部６１ａの内の中央に埋設されている円形のチャッキング用マグネット６２がチャッキングプレート５５の中央円形凹部５５ｃ内に矢印ｂ方向から挿入されて、このチャッキング用マグネット６２がチャッキングプレート５５に下方から近接される。
すると、そのチャッキングプレート５５がチャッキング用マグネット６２の磁気吸引力によって矢印ａ方向に吸引されて、チャッキングプレート５５の円環状のディスク押圧部５５ｂがディスク５４の上面５４ｄで中心穴５４ｂの外周部分をターンテーブル６１の円環状のディスク載置面６１ｂ上に矢印ａ方向から圧着して固定、即ち、チャッキングされる。
【０００９】
そして、このディスク５４のチャッキングによって、チャッキングプレート５５のテーパー部５５ｃ及び外周フランジ部５５ｄがプレート保持部材５６の円筒状リブ５６ｂ及び内周フランジ部５６ｃに対して非接触状態となる。そして、スピンドルモータのターンテーブル６１によってディスク５４がディスクカートリッジ５１内で回転駆動され、光学ピックアップによってディスク５４のデータ記録部５４ｃにデータが記録及び／又は再生されるディスクチャッキング回転時には、チャッキングプレート５５は上シェル５２及びプレート保持部材５６に対して非接触状態で、ディスク５４と一緒に回転されることになる。
【００１０】
なお、このディスクチャッキング回転時におけるディスク５４及びチャッキングプレート５５の上シェル５２及びプレート保持部材５６に対する隙間は、チャッキングプレート５５の外周フランジ部５５ｄの外周縁とプレート保持部材５６の円筒状リブ５６ｂの内周面との間の水平方向の隙間Ｇ１２、その外周フランジ部５５ｄと上シェル５２の下面５２ａとの間の垂直方向の隙間Ｇ１３、その外周フランジ部５５ｄとプレート保持部材５６の内周フランジ部５６ｃとの間の垂直方向の隙間ｇ１４、その内周フランジ部５６ｃとディスク５４との間の垂直方向の隙間Ｇ１５との合計４箇所である。
【００１１】
【発明が解決しようとする課題】
しかし、従来のディスクカートリッジ５１のように、上シェル５３の下面５３ｂに超音波溶着等にて取り付けたプレート保持部材５６によってチャッキングプレート５５を上シェル５２に保持させた構造は、プレート保持部材５６の成形工程、超音波溶着等による取付工程が必要であり、コストアップを招いている。
その上に、図１９に示すように、下シェル５３の上面５３ｂに取り付けられたプレート保持部材５６の内周フランジ部５６ｃがディスク５４とチャッキングプレート５５の外周フランジ部５５ｄとの間に介在されていることから、このディスクカートリッジ５１の上シェル５２の下面５２ａと下シェル５３の上面５３ｂとの間の上下方向の寸法である内部厚みＡ中に、プレート保持部材５６の内周フランジ部５６ｃの厚みＢを考慮する必要がある。
【００１２】
つまり、図１９に示すように、内部厚みＡ中に内側フランジ部５６ｃの厚みＢが存在するために、ディスクチャッキング回転時に特に考慮しなければならない、上シェル５２、ディスク５４、チャッキングプレート５５間の垂直方向の隙間は、隙間Ｇ１３、隙間Ｇ１４、隙間Ｇ１５の３箇所と非常に多くなる。
一方、隙間Ｇ１３、Ｇ１４、Ｇ１５の数に比例して、これら隙間Ｇ１３、Ｇ１４、Ｇ１５のそれぞれの寸法を小さくせざるを得なくなることから、これら３箇所の隙間Ｇ１３、Ｇ１４、Ｇ１５はそれぞれ小さくせざるを得なく成ると言う制約を受けることになる。
【００１３】
そして、これら３箇所の隙間Ｇ１３、Ｇ１４、Ｇ１５が著しく小さくなってしまうと、ターンテーブル６１と一緒にディスク５４及びチャッキングプレート５５が回転駆動される際に、ディスク５４とチャッキングプレート５５が特に、プレート保持部材５６の内側フランジ部５６ｃに接触され易くなり、信頼性が劣ってしまう。そして、温度、湿度等の環境変化によるモールド部品等からなる上下シェル５２、５３、プレート保持部材５６等の収縮、膨張やディスク５４の製造過程での厚みのバラツキ等も発生することから、信頼性は一層低下することになる。
なお、この問題を解決するために、ディスクカートリッジ５１全体の厚みＣを厚くすることにより上記隙間Ｇ１３、Ｇ１４、Ｇ１５を拡大する方法が考えられるが、フォーマット的にディスクカートリッジ５１全体の外部厚みＣが規定されている場合には、このことの実用性がない。
【００１４】
本発明は、上記の問題を解決するためになされたものであって、チャッキングプレートを上シェルに保持するプレート保持部材を不要にしたディスクカートリッジを提供することを目的としている。
【００１５】
【課題を解決するための手段】
上記の目的を達成するための本発明のディスクカートリッジは、データが記録及び／又は再生されるディスク状記録媒体を上下シェル間に回転自在で、上下移動可能に収納することができ、上記ディスク状記録媒体の中央部をチャッキングプレートによってスピンドルモータのターンテーブル上にチャッキングするように構成されたディスクカートリッジにおいて、上記チャッキングプレートを上記ディスク状記録媒体の中央上部に載置して、該チャッキングプレートを該ディスク状記録媒体と一緒に上下動させるように構成し、上記上シェルの下面に形成されて、上記チャッキングプレートに対して非接触に配置され、該チャッキングプレートの上下動を許容しながら、該チャッキングプレートの径方向の移動量を規制する位置決め手段を備えたものである。
【００１６】
上記のように構成された本発明のディスクカートリッジは、ディスク状記録媒体をスピンドルモータのターンテーブル上にチャッキングするチャッキングプレートを、上シェルに支持させることなく、このチャッキングプレートをディスク状記録媒体の中央上部に載置して、ディスク状記録媒体と一緒に上下動させるように構成する一方、ディスク状記録媒体に対して非接触に配置され、チャッキングプレートの上下動を許容しながら、チャッキングプレートの径方向の移動量を規制する位置決め手段を上シェルの下面に形成したので、従来のように、プレート保持部材を下シェルの下面に超音波溶着等で固着して、チャッキングプレートを保持する必要がない。
【００１７】
【発明の実施の形態】
以下、本発明を適用したディスクカートリッジの実施の形態を図１〜図１７を参照して、以下の順序で説明する。
2004103146.tif 000003
【００１８】
（１）・・・　ディスクカートリッジのディスクチャッキング構造の説明
初めに、図１〜図１１によって、ディスクカートリッジ１のディスクチャッキング構造の第１、第２、第３、第４の実施の形態について説明する。なお、このディスクカートリッジ１は、図１２〜図１７によって後述するインナーローター１１と一対のシャッター１２、１３を備えているものであるが、ここでは、これらインナーローター１１と一対のシャッター１２、１３を省略して説明する。
【００１９】
そこで、図１〜図３によって、このディスクカートリッジ１のディスクチャッキング構造の第１の実施の形態について説明する。
このディスクチャッキング構造の第１の実施の形態に示すディスクカートリッジ１は、図１８及び図１９で示した従来のディスクカートリッジ５１と同様のモールド部品からなる上下シェル２、３によって構成されていて、内部にはディスク状記録媒体であるＤＶＤ、ＤＶＤ−ＲＯＭ等の直径１２ｃｍ等の光ディスクや光磁気ディスク等のモールド部品であるディスク４が回転自在で、上下（矢印ａ、ｂ方向）に移動可能に水平状に収納されている。なお、後述するターンテーブル４１及び光学ピックアップ（図示せず）が下方から挿入される長穴形状の開口部３ａが下シェル３のほぼ中央部から前端部等にかけて形成された形成されている。そして、このディスクカートリッジ１内で、ディスク４の中央上部位置には、ＳＵＳ等の強磁性体でプレス加工等にて形成されたチャッキングプレート５が載置されている。
【００２０】
そして、チャッキングプレート５には、従来と同様の中央円形凹部５ａ、ディスク押圧部５ｂ、テーパー部５ｃ、外周フランジ部５ｄが一体にプレス加工されていて、更に、外周フランジ部５ｄの外周から上方に垂直状に立ち上げられた立ち上げ部である外周円筒部５ｅが一体にプレス加工されている。そして、このチャッキングプレート５の最下部のディスク押圧部５ｂでディスク４の中央上部に自重で水平状に載置されている。
一方、上シェル２の下向きの内面である下面２ａで、チャッキングプレート５の外周相当位置に、チャッキングプレート５の径方向（矢印Ｘ方向）の位置決め手段であって、外周ガイド部に相当する外周円筒状リブ６が垂直状に一体成形等されている。そして、この外周円筒状リブ６の円筒状内周面６ａの内径寸法はチャッキングプレート５の外周円筒部５ｅの外径寸法より十分に大きく設定されている。
【００２１】
従って、チャッキングプレート５は外周円筒状リブ６内に回転自在で、上下（矢印ａ、ｂ方向）に移動可能に収容されていて、このチャッキングプレート５はディスク４と一緒に矢印ａ、ｂ方向に上下動されるように構成されている。
なお、この外周円筒状リブ６とは、内周面６ａが円筒状であるものを示唆していて、外周面６ｂは円筒状以外の多角形であっても良い。また、外周ガイド部としては下シェル３の上シェル２の下面２ａに一体成形した複数の垂直リブを円筒状に並べた形状に構成することも可能である
【００２２】
このディスクカートリッジ１のディスクチャッキング構造の第１の実施の形態によれば、図１に示すように、ディスクカートリッジ１の非使用状態では、ディスク４が自重によって矢印ａ方向に下降されて、そのディスク４の下面４ｂで、中心穴４ｂの外周部分を下シェル３の上向きの内面である上面３ｂで、開口部３ａの外周部分に一体成形等されている内周リブ３ｃ上に水平状に載置して、ディスク４の下面４ｂで、データ記録部４ｃ部分を下シェル３の下面３ａから上方に浮かせている。
そして、外周円筒状リブ６内のチャッキングプレート５は自重によってディスク４と一緒に矢印ａ方向に下降されている。
【００２３】
なお、図２に示すように、このディスクチャッキング構造に第１の実施の構造によれば、チャッキングプレート５の外周フランジ部５ｄの外周から上方に外周円筒部５ｅを垂直状に立ち下げているので、ディスクカートリッジ１の輸送時に振動や衝撃等によって、ディスクカートリッジ１内のチャッキングプレート５に矢印ｃ方向の傾きが生じた場合、チャッキングプレート５の外周円筒部５ｅの一部が上シェル２の外周円筒状リブ６の内周面６ａに当接されて、そのチャッキングプレート５の位置規制がなされるため、このチャッキングプレート５が外周円筒状リブ６の下端面６ｃとディスク４の上面４ｄとの間に不用意に潜り込んで、いわゆる噛み込み状態となることが未然に防止される。
【００２４】
そして、図３に示すように、このディスクチャッキング構造の第１の実施の形態によれば、ディスクカートリッジ１が図示省略したディスクドライブ装置内にローディングされると、下シェル３の開口部３ａ内にスピンドルモータ（図示せず）のターンテーブル４１及び光学ピックアップ（図示せず）が下方から矢印ｂ方向に相対的に挿入される。
そして、そのターンテーブル４１の上部中央に形成されているほぼ円錐台形状のセンターリング用凸部４１ａがディスク４の中心穴４ｂに矢印ｂ方向から挿入されて、ディスク４がセンターリングされるのと同時に、ターンテーブル４１の外周部分に水平状に形成されている円環状のディスク載置面４１ｂ上にディスク４の下面４ｂで中心穴４ｂの外周部分が水平状に載置される。そして、ディスク４がターンテーブル４１によってディスクカートリッジ１内の上下シェル２、３間のほぼ中央位置まで矢印ｂ方向に押し上げられ、そのディスク４と一緒にチャッキングプレート５が矢印ｂ方向に押し上げれれて、これらディスク４及びチャッキングプレート５が共に上下シェル２、３に対して非接触状態に支持される。また、光学ピックアップがディスク４の下面４ａに近接される。
【００２５】
この時、ターンテーブル４１のセンターリング用凸部４１ａの内の中央に埋設されている円形のチャッキング用マグネット１２がチャッキングプレート５の中央円形凹部５ｃ内に矢印ｂ方向から挿入されて、このチャッキング用マグネット１２がチャッキングプレート５に近接される。
すると、そのチャッキングプレート５がチャッキング用マグネット１２の磁気吸引力によって矢印ａ方向に吸引されて、チャッキングプレート５の円環状のディスク押圧部５ｂがディスク４の上面４ｄで中心穴４ｂの外周部分をターンテーブル４１の円環状のディスク載置面４１ｂ上に上方から圧着して固定、即ち、チャッキングする。
【００２６】
そして、スピンドルモータによってターンテーブル４１を介してディスク４がディスクカートリッジ１内で回転駆動されて、光学ピックアップによってディスク４のデータ記録部４ｃにデータが記録及び／又は再生される際、チャッキングプレート５は上シェル２及び外周円筒状リブ６に対して非接触状態で、ディスク４と一体に回転されることになる。
なお、このディスクチャッキング回転時におけるディスク４及びチャッキングプレート５の上シェル２に対する隙間は、チャッキングプレート５の外周円筒部５ｅの上端と外周円筒状リブ６の内周面との間の水平方向の隙間Ｇ１、その外周円筒部５ｅの上端と上シェル２の下面２ａとの間の垂直方向の隙間Ｇ２、その外周円筒状リブ６の下端面６ｃとディスク４の上面４ｄとの間の垂直方向の隙間Ｇ３との合計３箇所である。
【００２７】
このディスクカートリッジ１のディスクチャッキング構造の第１の実施の形態によれば、上シェル２の下面２ａと下シェル３の上面３ｂとの間の上下方向の寸法である内部厚みＡ中に、図１９で示した従来のプレート保持部材５６の内周フランジ部５６ｃの厚みＢを全く考慮する必要がない。
そして、図３に示すように、ディスクチャッキング回転時において、上シェル２とディスク４との間で考慮しなければならない垂直方向の隙間は、上シェル２とチャッキングプレート５との間の隙間Ｇ２と、外周円筒状リブ６とディスク４との間の隙間Ｇ３との２箇所のみとなり、これらの隙間Ｇ２、Ｇ３は、図１９に示した３箇所の垂直方向の隙間Ｇ１３、Ｇ１４、Ｇ１５に比べて十分に大きく設定することができる。
【００２８】
そして、これら２箇所の隙間Ｇ２、Ｇ３を十分に大きく設定することができれば、ディスクチャッキング回転時に、スピンドルモータによりターンテーブル４１と一緒にディスク４及びチャッキングプレート５が回転駆動される際に、隙間Ｇ２部分においては、チャッキングプレート５が上シェル２に接触され難くなり、隙間Ｇ３部分では、ディスク４が外周円筒状リブ６に接触され難くななるので、信頼性が向上する。また、温度、湿度等の環境変化による収縮、膨張の発生による信頼性の低下も抑えることができる。
また、外周円筒状リブ６は、単純な円筒形等に形成すれば良いので、この外周円筒状リブ６は上記上シェル２に極くに簡単一体成形することができ、この外周円筒状リブ６を上シェル２に一体成形することによるコストアップは何等発生しない。
【００２９】
次に、図４〜図６によって、ディスクチャッキング構造の第２の実施の形態について説明する。
このディスククチャッキング構造の第２の実施の形態における第１の実施の形態との相違点は、チャッキングプレート５の外周フランジ部５ｄの外周から下方に垂直状に立ち下げられた立ち下げ部である外周円筒部５ｆを一体にプレス加工した点であり、その他の構成は、第１の実施の形態と同様である。
従って、図４に示すように、ディスクカートリッジ１の非使用状態では、チャッキングプレート５が外周円筒状リブ６内に回転自在で、上下（矢印ａ、ｂ方向）に移動可能に収容されていて、このチャッキングプレート５は自重によってディスク４の上面４ａの中央部分に直に載置されている。
【００３０】
なお、図５に示すように、このディスクチャッキング構造の第２の実施の形態によれば、チャッキングプレート５の外周フランジ部５ｄの外周から下方に外周円筒部５ｆを垂直状に立ち下げているので、ディスクカートリッジ１の輸送時に振動や衝撃等によって、ディスクカートリッジ１内のチャッキングプレート５に矢印ｃ方向の傾きが生じた場合、チャッキングプレート５の外周円筒部５ｆの一部が上シェル２の外周円筒状リブ６の内周面６ａに当接されて、そのチャッキングプレート５の位置規制がなされるため、このチャッキングプレート５が外周円筒状リブ６の下端面６ｃとディスク４の上面４ｄとの間に不用意に潜り込んで、いわゆる噛み込み状態となることが未然に防止される。
【００３１】
また、このディスクカートリッジ１のディスクチャッキング構造の第２の実施の形態によれば、第１の実施の形態と同様に、図６に示すように、ディスク４がターンテーブル４１上にチャッキングされた状態で、上シェル２とディスク４との間で考慮しなければならない垂直方向の隙間は、上シェル２とチャッキングプレート５との間の隙間Ｇ２と、外周円筒状リブ６とディスク４との間の隙間Ｇ３との２箇所のみとなり、これらの隙間Ｇ２、Ｇ３は、前述したように十分に大きく設定することができる。
従って、第１の実施の形態と同様の効果を奏することができる。
【００３２】
次に、図７及び図８によって、ディスクチャッキング構造の第３の実施の形態について説明する。
このディスクチャッキング構造の第３の実施の形態では、前述した第１、第２の実施の形態で示した、チャッキングプレート５の外周フランジ部５ｄの外周の外周円筒部５ｅ、５ｆを敢えて削除したものである。
そして、このディスクチャッキング構造の第３の実施の形態によれば、外周円筒部５ｅ、５ｆを削除したことによって、図８に示すように、ディスクチャッキング回転時における上シェル２の下面２ａとチャッキングプレート５の外周フランジ部５ｄとの間の垂直方向の隙間Ｇ２′を第１及び第２の実施の形態に示した同隙間Ｇ２より拡大することが可能である。
このように隙間Ｇ２′を拡大することができれば、ディスクチャッキング回転時に、スピンドルモータによりターンテーブル４１と一緒にディスク４及びチャッキングプレート５が回転駆動される際に、隙間Ｇ２′部分において、チャッキングプレート５が上シェル２に接触され難くなるので、信頼性が一層向上する。また、温度、湿度等の環境変化による収縮、膨張の発生による信頼性の低下も一層抑えることができる。
【００３３】
次に、図９及び図１０によって、ディスクチャッキング構造の第４の実施の形態について説明する。
このディスクチャッキング構造の第４の実施の形態は、ディスクカートリッジ１の上シェル２の下面２ａで、チャッキングプレート５の中央位置に、チャッキングプレート５の径方向（矢印Ｘ方向）の位置決め手段であると共に、中心ガイド部である中心ガイドピン７を上シェル２の下面２ａに垂直状に一体成形等している。
そして、チャッキングプレート５の中央上部に同心円筒状にバーリング加工等された中心円筒部５ｇが中心ガイドピン７の外周に挿入されていて、中心円筒部５ｇの内径寸法は中心ガイドピン７の直径寸法よりも大きく設定されている。
従って、チャッキングプレート５はこの中心ガイドピン７の外周に回転自在で、上下移動可能に収容されている。
【００３４】
そして、図９に示すように、このディスクチャッキング構造の第４の実施の形態によれば、ディスクカートリッジ１の非使用時には、チャッキングプレート５が自重によって中心ガイドピン７の下端側へ矢印ａ方向に下降されて、ディスク４の上面４ａの中央部分に直に載置されている。
一方、図１０に示すように、ディスクチャッキング回転時には、このディスクカートリッジ１のディスク４がチャッキングプレート５によってターンテーブル４１上にチャッキングされて、ディスク４とチャッキングプレート５が一緒に矢印ｂ方向へ押し上げられた時に、チャッキングプレート５の中央円筒部５ｇが中心ガイドピン７の上端側へ上昇されるものの、この中央円筒部５ｇの内周が中心ガイドピン７の外周に対して水平方向の隙間Ｇ１よって非接触状態を維持する。そして、その中央円筒部５ｇの上端と上シェル２との間に隙間Ｇ２が形成され、中心ガイドピン７の下端とチャッキングマグネット４２との間に隙間Ｇ３が形成されて、第１〜第３の実施の形態と同様の効果を奏することができる。
【００３５】
なお、図９及び図１０に１点鎖線で示すように、上シェル２の下面２ａに一体成形されている中心ガイド部である中心ガイドピン７を上シェル２の下面２ａに一体成形された中心円筒部８に置換して、チャッキングプレート５の中央円筒部５ｇをその中心円筒部８内の下端側に下方から挿入し、その中心円筒部８の内径寸法を中央円筒部５ｇの外径寸法より大きく構成する。そして、その中央円筒部５ｇを中心円筒部８内に、回転自在及び上下移動可能に挿入させても、第１〜第３の実施の形態と同様の効果を奏することができる。
【００３６】
（２）・・・　ディスクカートリッジ全体の概要説明
次に、前述したディスクチャッキング構造が収容されているインナーローター方式のディスクカートリッジ１全体の概要を図１１〜図１９によって説明する。このディスクカートリッジ１は、モールド部品等からなるインナーローター１１と、そのインナーローター１１の下面に回転自在に取り付けられて、そのインナーローター１１の回転によって下シェル３の開口部３ａを開閉するモールド部品等からなる一対のシャッター１２、１３とを備えている。そして、インナーローター１１は円形の皿形に成形されていて、円板状の底部１１ａの外周に円筒状の外周壁１１ｂが垂直状に立ち上げられている。なお、底部１１ａには下シェル３の開口部３ａとほぼ同一形状の開口部１１ｃが形成されている。そして、このインナーローター１１は下シェル３の上部に隙間１４を有する状態に水平状で、回転自在に載置されていて、このインナーローター１１の外周壁１１ｂが上下シェル２、３間の外周部分の内側に形成されている円筒状溝１５内に回転自在に挿入されている。
そして、ディスク４がこのインナーローター１１の底部１１ａ上に回転自在で、上下動可能に水平状に載置されている。
【００３７】
一方、一対のシャッター１２、１３はほぼ半円形状に成形された薄板構造に構成されている。そして、これら一対のシャッター１２、１３はインナーローター１１の底部１１ａの下面で、開口部１１ｃの両側に対称状に重ねられて、互いに反対側の端部が一対の回転支点１６によってインナーローター１１の底部１１ａに沿って回転自在に取り付けられている。そして、これら一対のシャッター１２、１３の回動支点１６側とは反対側に対称状に形成されている一対のカム溝１７が下シェル３の上面３ｂに一体成形されている一対のカムピン１８に摺動自在に挿入されている。
【００３８】
そして、インナーローター１１の外周壁１１ｂの外周面に一体成形された部品ギア等を有するインナーローター回転駆動部１９の一部が上下シェル２、３の一側部に形成された溝状の窓穴２０に露呈されていて、このインナーローター回転駆動部１９が窓穴２０の外側からラック等のインナーローター回転駆動部材（図示せず）によって矢印ｃ、ｄ方向に回転駆動されることにより、一対のシャッター１２、１３によって下シェル３の開口部３ａが開閉されるように構成されている。
即ち、図１４及び図１６は、シャッター閉状態を示していて、この時は、インナーローター１１が矢印ｃ方向に回転されて、そのインナーローター１１の開口部１１ｃが下シェル３の開口部３ａから矢印ｃ方向に所定角分偏位され、一対のシャッター１２、１３がそれぞれ回動支点１６を中心に矢印ｅ方向から相互に閉じて、インナーローター１１の底部１１ａの一部と、一対のシャッター１２、１３のそれぞれの一部とによって下シェル３の開口部３ａが閉塞されている。
【００３９】
次に、図１５及び図１７は、シャッター開状態を示していて、このディスクカートリッジ１がディスクドライブ装置（図示せず）内にセットされると、ディスクカートリッジ１の窓穴２０の外側からインナーローター回転駆動部１９がインナーローター回転駆動部材によって矢印ｄ方向に回転駆動されて、インナーローター１１が図１４及び図１６に示す閉位置から図１５及び図１７に示す開位置まで矢印ｄ方向に回転駆動される。
すると、インナーローター１１の開口部１１ｃが下シェル３の開口部３ａ上に重ねられると共に、一対のカム溝１７とカムピン１８とによる相互のカム作用によって、一対のシャッター１２、１３全体が矢印ｄ方向に回動されながら、これら一対のシャッター１２、１３がそれぞれ回動支点１６を中心に矢印ｆ方向に相互に開いて、これら一対のシャッター１２、１３が相互に重ねられた開口部１１ｃ、３ｂの両側へ逃げ、下シェル３の開口部３ａが完全開放されることになる。なお、このディスクカートリッジ１がディスクドライブ装置からイジェクトされる際に、インナーローター回転駆動部材によってインナーローター１１が図１５及び図１７に示す開位置から図１４及び図１６に示す閉位置まで矢印ｃ方向に回転駆動されて、下シェル３の開口部３ａが閉塞されることになる。
【００４０】
ところで、このように、インナーローター１１の回転により開閉される一対のシャッター１２、１３によって下シェル３の開口部３ａを開閉するディスクカートリッジ１にあっては、上下シェル２、３間にインナーローター１１及び一対のシャッター１２、１３が収容されることになって、このディスクカートリッジ１全体の外部厚みＣが厚くなる傾向にある。
そこで、図１〜図１０で説明したディスクチャッキング構造を適用することにより、上下シェル２、３間の内部厚みＡを小さく抑えて、ディスクカートリッジ１全体の外部厚みＣを極力小さくすることが可能になり、しかも、ディスク４のデータ記録及び／又は再生時の高い信頼性も得られると言う効果を奏することができる。
【００４１】
以上、本発明の実施の形態について説明したが、本発明は上記した実施の形態に限定されることなく、本発明の技術的思想に基づいて各種の変更が可能である。
例えば、本発明は、上シェル２の全部又は一部を下シェル３に対して開閉自在に構成して、ディスク４をインナーローター１１内に交換（脱着）可能に収納することができるリムーバブルディスク（Ｒｅｍｏｖａｂｌｅ　Ｄｉｓｋ）用キャディと称されるディスクカートリッジにも適用可能である。
【００４２】
【発明の効果】
以上のように構成された本発明のディスクカートリッジは、次のような効果を奏することができる。
【００４３】
請求項１は、チャッキングプレートをディスク状記録媒体の中央上部に配置して、ディスク状記録媒体と一緒に上下動させるように構成する一方、ディスク状記録媒体に対して非接触に配置され、チャッキングプレートの上下動を許容しながら、チャッキングプレートの径方向の移動量を規制する位置決め手段を上シェルの下面に形成して、従来のように、プレート保持部材を下シェルの下面に超音波溶着等で固着して、チャッキングプレートを保持する必要がないようにしたので、ディスクカートリッジ全体の厚みを拡大することなく、ディスクカートリッジの所定寸法の内部厚み寸法中にて、ディスクチャッキング回転時に接触される虞れがある部分の隙間寸法を最大限に拡大することができる。換言すれば、ディスクカートリッジ全体の厚み寸法を最小限に抑えながら、ディスクチャッキング回転時に、ディスク状記録媒体及びチャッキングプレートが上下シェルに接触されることを極力防止することができて、高い信頼性を得ることができる。
【００４４】
請求項２及び請求項３は、位置決め手段を外周ガイド部や中心ガイド部で構成したものであり、構造が簡単で、製造が容易である。
請求項４は、チャッキングプレートの外周フランジ部から上方又は下方に立ち上げ又は立ち下げられた立ち上げ部又は立ち下げ部を備えたので、ディスクカートリッジの輸送時等に発生する振動や衝撃或いは傾き等によって、チャッキングプレートの外周部分の一部が外周ガイド部とディスク状記録媒体との間に不用意に潜り込んで、噛み込まれることを防止することができて、安全性が高い。
【００４５】
請求項５は、上下シェル内で、ディスク状記録媒体の下部にインナーローターが回転自在に配置され、インナーローターと下シェルとの間に配置されて、インナーローターの回転により開閉されるシャッターによって下シェルに開口されている開口部を開閉するように構成されたディスクカートリッジにおいて、チャッキングプレートをディスク状記録媒体の中央上部に載置して、ディスク状記録媒体と一緒に上下動させるように構成する一方、ディスク状記録媒体に対して非接触に配置され、チャッキングプレートの上下動を許容しながら、チャッキングプレートの径方向の移動量を規制する位置決め手段を上シェルの下面に形成して、従来のように、チャッキングプレートを上シェルに保持するプレート保持部材を不要にすることができるようにしたので、全体の厚みが大きくなりがちなディスクカートリッジの厚みを極力薄くすることと、ディスクチャッキング回転時に、ディスク状記録媒体及びチャッキングプレートが上下シェルに接触されることの防止とを両立させることができる。
【図面の簡単な説明】
【図１】本発明を適用したディスクカートリッジのディスクチャッキング構造の第１の実施の形態を説明する非使用時における断面側面図である。
【図２】図１のディスクカートリッジの輸送時等において、チャッキングプレートがディスクと上シェルとの間に不用意に噛み込まれることを防止することができる理由を説明する図面である。
【図３】図１のディスクカートリッジのディスクチャッキング回転時におけるディスク及びチャッキングプレートの上シェルに対する隙間を説明する図面である。
【図４】本発明を適用したディスクカートリッジのディスクチャッキング構造の第２の実施の形態を説明する非使用時における断面側面図である。
【図５】図４のディスクカートリッジの輸送時等において、チャッキングプレートがディスクと上シェルとの間に不用意に噛み込まれることを防止することができる理由を説明する図面である。
【図６】図４のディスクカートリッジのディスクチャッキング回転時におけるディスク及びチャッキングプレートの上シェルに対する隙間を説明する図面である。
【図７】本発明を適用したディスクカートリッジのディスクチャッキング構造の第３の実施の形態を説明する非使用状態の断面図である。
【図８】図７のディスクカートリッジのディスクチャッキング回転時におけるディスク及びチャッキングプレートの上シェルに対する隙間を説明する図面である。
【図９】本発明を適用したディスクカートリッジのディスクチャッキング構造の第４の実施の形態を説明する非使用状態の断面図である。
【図１０】図９のディスクカートリッジのディスクチャッキング回転時におけるディスク及びチャッキングプレートと上シェルに対する隙間を説明する図面である。
【図１１】本発明を適用したディスクカートリッジのディスクカートリッジ全体の概要を説明する斜視図である。
【図１２】図１１のディスクカートリッジの分解斜視図である。
【図１３】図１１のディスクカートリッジの断面側面図である。
【図１４】図１１のディスクカートリッジのインナーローターと一対のシャッターの閉状態を示した下面側から見た斜視図である。
【図１５】図１１のディスクカートリッジのインナーローターと一対のシャッターの開状態を示した下面側から見た斜視図である。
【図１６】図１１のディスクカートリッジのインナーローターと一対のシャッターによって下シェルの開口部を閉塞した時の下方からの透視図である。
【図１７】図１１のディスクカートリッジのインナーローターと一対のシャッターによって下シェルの開口部を開放した時の下方からの透視図である。
【図１８】従来のディスクカートリッジの非使用状態の断面側面図である。
【図１９】図１８のディスクカートリッジのディスクチャッキング回転時におけるディスク及びチャッキングプレートの上シェルに対する隙間を説明する図面である。
【符号の説明】
１はディスクカートリッジ、２は上シェル、２ａは上シェルの下面、３は下シェル、３ａは下シェルの開口部、４はディスク状記録媒体であるディスク、５はチャッキングプレート、５ｄはチャッキングプレートの外周フランジ部、５ｅは立ち上げ部である外周円筒部、５ｆは立ち下げ部である外周円筒部、６は位置決め手段であると共に外周ガイド部である外周円筒状リブ、７は位置決め手段であると共に中心ガイド部である中心ガイドピン、８は位置決め手段であると共に中心ガイド部である内周円筒状リブ、１１はインナーローター、１２、１３は一対のシャッターである。
【図１】
2004103146.tif 000004
【図２】
2004103146.tif 000005
【図３】
2004103146.tif 000006
【図４】
2004103146.tif 000007
【図５】
2004103146.tif 000008
【図６】
2004103146.tif 000009
【図７】
2004103146.tif 000010
【図８】
2004103146.tif 000011
【図９】
2004103146.tif 000012
【図１０】
2004103146.tif 000013
【図１１】
2004103146.tif 000014
【図１２】
2004103146.tif 000015
【図１３】
2004103146.tif 000016
【図１４】
2004103146.tif 000017
【図１５】
2004103146.tif 000018
【図１６】
2004103146.tif 000019
【図１７】
2004103146.tif 000020
【図１８】
2004103146.tif 000021
【図１９】
2004103146.tif 000022